(57)【要約】【課題】  被記録媒体の浮き上がりを抑えて高品位な四面縁無し記録を行うことができるプラテン、及び、該プラテンを備えた記録装置と液体噴射装置を提供することにある。【解決手段】  本発明に係るプラテン１６３は、インク滴を打ち捨てる為の横溝穴１６５ａが記録用紙３００の搬送方向の上流側に形成され、記録用紙３００の浮き上がりを抑える複数の吸引孔１６７が下流側に設けられていることを特徴とする。これにより、記録用紙３００の四辺縁無し記録において、打ち捨てられたインク滴を横溝穴１６５ａ内に収容し、更に、搬送方向の下流側に設けられた複数の吸引孔１６７により記録用紙３００の浮き上がりを防止するので、記録用紙３００の四辺縁無し記録を行う場合でも、記録むらや記録用紙の汚れの発生を防止して高品位な記録を得ることが可能となる。【選択図】  図４
2006021475.tif 000002
【特許請求の範囲】
【請求項１】
媒体に液滴を吐出するヘッドと対向して設けられ、前記媒体の端部から外れた前記液滴が打ち捨てられる第１の溝穴が前記ヘッドと対向する面に形成されているプラテンであって、
前記第１の溝穴は、前記媒体の搬送方向の上流側に、搬送直交方向に延びて形成され、
更に、前記媒体を吸引する吸引孔が、前記媒体の搬送方向の下流側に設けられていることを特徴とするプラテン。
【請求項２】
前記媒体の搬送方向に延びるリブが搬送直角方向に所定の間隔をもって複数配列され、前記吸引孔が該リブ頂面に設けられていることを特徴とする請求項１に記載のプラテン。
【請求項３】
前記媒体の搬送方向に延びるリブが搬送直角方向に所定の間隔をもって複数配列され、前記吸引孔が前記リブ間の凹部に設けられていることを特徴とする請求項１又は２に記載のプラテン。
【請求項４】
前記第１の溝穴は傾斜面を有することを特徴とする請求項１乃至３に記載のプラテン。
【請求項５】
前記第１の溝穴が前記媒体を吸引する機能を有することを特徴とする請求項１乃至４に記載のプラテン。
【請求項６】
前記媒体の側端に合わせた第２の溝穴が前記第１の溝穴に形成されていることを特徴とする請求項１乃至５に記載のプラテン。
【請求項７】
前記第２の溝穴は、前記第１の溝穴の両端部から搬送方向に延びて形成され、前記各溝穴の内側領域に前記吸引孔が設けられていることを特徴とする請求項１乃至６に記載のプラテン。
【請求項８】
請求項１〜７の何れか一項に記載の溝穴と吸引孔とが、搬送直交方向に複数並設されていることを特徴とするプラテン。
【請求項９】
前記第２の溝穴は傾斜面を有することを特徴とする請求項１乃至８に記載のプラテン。
【請求項１０】
被記録媒体に液滴を吐出して記録する記録装置であって、
請求項１乃至９の何れか一項に記載のプラテンを備えたことを特徴とする記録装置。
【請求項１１】
被噴射媒体に液体を噴射する液体噴射装置であって、
請求項１乃至９の何れか一項に記載のプラテンを備えたことを特徴とする液体噴射装置。
【発明の詳細な説明】
【技術分野】
【０００１】
本発明は、記録装置や液体噴射装置において媒体を支持するプラテンに関する。また、本発明は、該プラテンを備えた記録装置と液体噴射装置に関する。
【背景技術】
【０００２】
例えば、記録装置の１つであるインクジェット式プリンタは、被記録媒体の１つとしての記録用紙の記録面と対向する面に、記録用紙に向かってインクを吐出する複数のノズル列（インク吐出領域）を有する記録ヘッドと、記録用紙を支持して該記録ヘッドに対する記録用紙の位置を規定するプラテンとを有する。一般に、インクジェット式プリンタにおける該プラテンの記録ヘッドと対向する面（以下「プラテン面」と言う）には、記録用紙の搬送方向（以下、「副走査方向」という）に延びるリブが搬送直角方向（以下、「主走査方向」という）に一定間隔をもって複数配列されている。記録用紙への記録では、記録用紙が複数の該リブに支持された状態でノズル列から記録装置にインク滴が吐出される。
【０００３】
ここで、記録用紙の四辺端部に余白無く記録を行う（以下、「四辺縁無し記録」という）為に、記録用紙の端部からインク滴を打ち捨てる為の溝穴をプラテン面に形成させたプラテン、及び、該プラテンを備えたインクジェット式記録装置が、例えば、特許文献１に記載されている。このインク滴を打ち捨てる為の溝穴を形成させずに縁無し記録を行うと、記録用紙の端部から外れて打ち捨てられたインク滴がプラテン面に付着し、該インク滴が記録用紙に再付着して記録用紙を汚したり、或いは、プラテン面にインク滴が着弾することによってインクミストが発生し、該インクミストが記録面又は記録ヘッドに付着し、記録品質を低下させる等の問題が生じる。そこで、プラテン面にインク滴を打ち捨てる為の溝穴を形成させて、記録用紙の端部から外れたインク滴を該溝穴内部に打ち捨てることにより、上述した不具合を防止して記録用紙の四辺縁無し記録を可能としている。
【０００４】
【特許文献１】特開２００３−１９１４９９号公報
【発明の開示】
【発明が解決しようとする課題】
【０００５】
一般的なインクジェット式プリンタでは、記録用紙に例えばベタ画像等のように多数のインク滴が吐出される画像が記録された場合、記録用紙が多量のインクを吸収して記録後に記録用紙の搬送直交方向（主走査方向）に波打って記録ヘッド側に膨らむ、いわゆるコックリングが発生する場合がある。そして、このコックリングが発生して発達すると、記録用紙の記録面と記録ヘッドのノズル形成面との間隔が不均一になり、インク滴の飛翔距離がばらつくことにより記録むらが生じ、或いは、記録用紙が記録ヘッドに接触して汚れてしまう不具合が生じる。
【０００６】
特許文献１に記載されたインクジェット式記録装置では、上述したようにプラテン面にインク滴を打ち捨てる為の溝穴を形成させて四辺縁無し記録を実行可能としているが、該四辺縁無し記録において記録用紙の上端部又は下端部を記録する場合、記録される記録用紙の上端部又は下端部が搬送ローラより外れているので、記録用紙の記録される部分が浮き上がりやすい。特に、記録用紙の下端部を記録する場合に当該問題が生じやすく、上述したコックリングの発生により、記録むらや記録用紙の汚れを生じる虞がある。
【０００７】
また、インクミストの吸引により、インクミストの発生を防止することが可能であるが、ヘッドより記録面に向けて発射されたインク滴の飛翔方向に影響を及ぼす虞が生じる。
【０００８】
本発明は、上記のような種々の課題に鑑みなされたものであり、その目的は、被記録媒体の浮き上がり及びインク滴の飛翔方向の影響を抑えて高品位な四辺縁無し記録を行うことができるプラテン、並び、該プラテンを備えた記録装置と液体噴射装置を提供することにある。
【課題を解決するための手段】
【０００９】
上記目的達成のため、本発明のプラテンでは、媒体に液滴を吐出するヘッドと対向して設けられ、前記媒体の端部から外れた前記液滴が打ち捨てられる第１の溝穴が前記ヘッドと対向する面に形成されているプラテンであって、前記第１の溝穴は、前記媒体の搬送方向の上流側に、搬送直交方向に延びて形成され、更に、前記媒体を吸引する吸引孔が、前記媒体の搬送方向の下流側に設けられていることを特徴としている。これにより、搬送直交方向に延びる前記第１の溝穴が前記媒体の搬送方向の上流側に設けられ、前記第１の溝穴内部に打ち捨てられた液滴を収容するので、四辺縁無し記録が可能である。そして、前記媒体の浮き上がりを抑える吸引孔が前記媒体の搬送方向の下流側に設けられているので、四辺縁無し記録を行う場合でも前記媒体の浮き上がりを抑え、記録むらや記録用紙の汚れの発生を防止して高品位な記録を得ることが可能である。
【００１０】
また、本発明のプラテンでは、前記媒体の搬送方向に延びるリブが搬送直角方向に所定の間隔をもって複数配列され、前記吸引孔が該リブ頂面に設けられていることを特徴としている。これにより、媒体の搬送方向に延びる複数のリブが媒体に発生したコックリングを吸収し、該リブ頂面に設けられた前記吸引孔が媒体の浮き上がりを確実に抑えることができる。
【００１１】
また、本発明のプラテンでは、前記媒体の搬送方向に延びるリブが搬送直角方向に所定の間隔をもって複数配列され、前記吸引孔が前記リブ間の凹部に設けられていることを特徴としている。これにより、媒体の搬送方向に延びる複数のリブが媒体に発生したコックリングを吸収し、前記リブ間の凹部に設けられた前記吸引孔が媒体の浮き上がりを確実に抑えることができる。
【００１２】
また、本発明のプラテンでは、前記第１の溝穴は傾斜面を有することを特徴としている。これにより、打ち捨てられた液滴を確実に収容することができる。更に、打ち捨てられた液滴の跳ね返りによる記録品質の低下を防止することができる。
【００１３】
また、本発明のプラテンでは、前記第１の溝穴が前記媒体を吸引する機能を有することを特徴としている。これにより、前記第１の溝穴が前記媒体を吸引するので、媒体の浮き上がりをより確実に抑えることができる。
【００１４】
また、本発明のプラテンでは、前記媒体の側端に合わせた第２の溝穴が前記第１の溝穴に形成されていることを特徴としている。これにより、前記媒体の側端部の記録において、前記媒体の側端部より外れて打ち捨てられた液滴を前記第２の溝穴内に収容させる。
【００１５】
また、本発明のプラテンでは、前記第２の溝穴は、前記第１の溝穴の両端部から搬送方向に延びて形成され、前記各溝穴の内側領域に前記吸引孔が設けられていることを特徴としている。これにより、前記各溝穴により四辺縁無し記録を確実に行い、前記各溝穴の内側領域に設けられた前記吸引孔により媒体の浮き上がりを確実に防止することができる。更に、インクミストの吸引による、記録ヘッドから記録面に向けて発射されたインク滴の飛翔方向に影響なくインクミストの回収が可能である。
【００１６】
また、本発明のプラテンでは、上記の各溝穴と各吸引孔とが、搬送直交方向に複数並設されていることを特徴としている。これにより、大きさの異なる複数の媒体に対応した記録を行うことができる。
【００１７】
また、本発明のプラテンでは、前記第２の溝穴は傾斜面を有することを特徴としている。これにより、打ち捨てられた液滴を確実に収容することができる。
【００１８】
上記目的達成のため、本発明の記録装置では、被記録媒体に液滴を吐出して記録する記録装置であって、上記各プラテンを備えたことを特徴としている。また、上記目的達成のため、本発明の液体噴射装置では、被噴射媒体に液体を噴射する液体噴射装置であって、上記各プラテンを備えたことを特徴としている。これにより、上記各作用効果を奏する記録装置または液体噴射装置を提供することができる。
【発明を実施するための最良の形態】
【００１９】
以下、本発明に係るプラテンの一実施形態として、記録装置の１つであるインクジェット式プリンタに用いられているプラテンについて、図１乃至図６を参照しながら説明する。なお、以下に説明する実施形態は特許請求の範囲にかかる発明を限定するものではなく、また実施形態の中で説明されている特徴の組み合わせの全てが発明の解決手段に必須であるとは限らない。
【００２０】
図１は、本実施形態に係るインクジェット式プリンタ１００の外観構成の全体を斜め前方から見た斜視図である。先ず、インクジェット式プリンタ１００の概略より説明する。
【００２１】
このインクジェット式プリンタ１００は、例えばＪＩＳ規格のＡ４判からＪＩＳ規格のＡ２判といった比較的大型のサイズのいわゆるカットされた用紙及びロール状の用紙に記録できる卓上型の大型のプリンタであり、全体が幅方向（図１の左右方向）に長く延びる略直方体状のハウジング１０１で覆われている。
【００２２】
このハウジング１０１の上面には、矩形状の窓部１０２が形成されている。この窓部１０２は、透明もしくは半透明の窓カバー１０３によって覆われている。窓カバー１０３は、その上部の回動軸を中心に図示矢印Ａ方向に回動可能に取り付けられている。ユーザは、窓カバー１０３の下部を持ち上げて窓部１０２を開放することにより、窓部１０２を通して内部機構のメンテナンス作業等を行うことができる。
【００２３】
ハウジング１０１の前面両側には、複数のインクカートリッジが抜き差しされるカートリッジ収納部１０４、１０４がそれぞれ形成されている。各インクカートリッジは、記録用の各色のインクを貯留している。各カートリッジ収納部１０４は、透明もしくは半透明のカートリッジカバー１０５、１０５によって覆われている。カートリッジカバー１０５は、その下部の回動軸を中心に図示矢印Ｂ方向に回動可能に取り付けられている。ユーザは、カートリッジカバー１０５を軽く押して係止部を外しカートリッジ収納部１０４を開放することにより、インクカートリッジの交換作業等を行うことができる。
【００２４】
ハウジング１０１の前面右側のカートリッジ収納部１０４の上部には、プリンタ動作を指示する操作部１１０が配設されている。操作部１１０は、パワーをオン・オフするパワー系、用紙の頭出し等を操作したりインクのフラッシング等を操作する操作系、画像処理等を行う画像処理系等のボタン１１１と、状態を表示する液晶パネル１１２等を備えている。ユーザは、液晶パネル１１２を見て確認しながらボタン１１１を操作することができる。
【００２５】
ハウジング１０１の前面右側のカートリッジ収納部１０４の下部には、廃液タンク１２０が抜き差しされるタンク収納部１０６が形成されている。この廃液タンク１２０は、記録ヘッド１６２（図２参照）のクリーニング処理時やインクカートリッジの交換時に廃棄された廃インク、或いは、縁無し記録において打ち捨てられたインク滴が回収された廃インク等を貯留する。ユーザは、廃液タンク１２０を引き出すことにより、内部に溜まっている廃インクの廃棄作業等を行うことができる。
【００２６】
ハウジング１０１の背面には、ロール状の用紙を給紙する給紙部１３０が上部後方に突き出るように配設されている。給紙部１３０の内部には、１本のロール状の用紙がセット可能な図示しないロール紙ホルダが配設され、給紙部１３０の前面には、跳ね上げ式の開閉可能なロール紙カバー１３１が図示しないロール紙ホルダを覆うように取り付けられている。ユーザは、ロール紙カバー１３１を持ち上げて給紙部１３０を開放することにより、ロール状の用紙の取り付け・取り外し作業等を行うことができる。なお、ロール紙カバー１３１の上面は、カットされた用紙を手差しで給紙案内することが可能な給紙案内面に形成されている。
【００２７】
ハウジング１０１の前面中央、すなわち一対のカートリッジ収納部１０４、１０４の間には、記録前のカットされた用紙、及び、記録後のカットされた用紙又はロール状の用紙を積載する給排紙トレイ２００が抜き差しされる給排紙部１４０が形成されている。なお、この給排紙部１４０は、搬送時に折り曲げることが不可能な厚手の用紙を手差しで給紙することが可能なようにも形成されている。
【００２８】
この給排紙部１４０には、給排紙トレイ２００の前部（図１では記載されていない部分）が差し込まれ、給排紙トレイ２００の後部（図１で記載されている部分）が突き出るようにして固定される。給排紙トレイ２００は、カセット型に形成されており、内部に記録前の給紙されるカットされた用紙が積層収納され、上部に記録後の排紙されるカットされた用紙またはロール状の用紙が積層載置されるようなっている。
【００２９】
図２は、図１のインクジェット式プリンタ１００の内部構成の概略を示す断面側面図である。ハウジング１０１内には、給排紙部１４０と、搬送部１５０と、本発明に係るプラテン１６３を含む記録部１６０等が配設されている。図３は、記録部１６０の周辺の要部を拡大して示す断面側面図である。以下、図２及び図３を参照してインクジェット式プリンタ１００の内部構成について説明する。
【００３０】
図２に示すように、給排紙部１４０には、カットされた用紙を給紙するためのホッパ１４１、給紙ローラ１４２及び分離部１４３等が配設されている。
【００３１】
ホッパ１４１は、カットされた用紙が載置可能な平板状に形成されており、一端が給紙ローラ１４２と分離部１４３の近傍に位置し、他端が装着されている給排紙トレイ２００の給紙部２１０の底面に近接して位置するように配設されている。そして、ホッパ１４１は、一端側の裏面にハウジング１０１の底面に一端が取り付けられた圧縮バネ１４４の他端が取り付けられており、この圧縮バネ１４４の伸縮により他端側を中心に一端側が旋回するように配設されている。
【００３２】
給紙ローラ１４２は、断面の一部が切り欠かれたＤ字状に形成されており、間欠的に回転してホッパ１４１上のカットされた用紙を摩擦搬送するようになっている。分離部１４３は、給紙ローラ１４２によりカットされた用紙が重送されたときに下層のカットされた用紙を最上層のカットされた用紙から摩擦分離するようになっている。
【００３３】
搬送部１５０には、用紙を搬送するためのサブローラ１５１とその従動ローラ１５２ａ、１５２ｂ、１５２ｃ、紙送りローラ１５３とその従動ローラ１５４、排紙ローラ１５５とギザローラ１５６及び用紙を検知する検知センサ１５７ａ、１５７ｂ等が配設されている。サブローラ１５１は、給紙トレイ２１０から給紙されるカットされた用紙を排紙トレイ２３０に排紙するために、カットされた用紙を従動ローラ１５２ａ、１５２ｂ、１５２ｃとともに挟持してＵ字状に反転搬送させるようになっている。また、サブローラ１５１は、給紙部１３０から給紙されるロール状の用紙を排紙部２３０に排紙するために、ロール状の用紙を従動ローラ１５２ｃとともに挟持して搬送させるようになっている。
【００３４】
紙送りローラ１５３は、反転搬送されてきたカットされた用紙もしくは給紙されてくるロール状の用紙を従動ローラ１５４とともに挟持して本発明に係るプラテン１６３へ送り出すようになっている。排紙ローラ１５５は、このプラテン１６３を通過してくる用紙をギザローラ１５６とともに挟持して排紙トレイ２３０上へ排紙するようになっている。検知センサ１５７ａは、給紙されてくるカットされた用紙のスキュー取りの際の搬送量を検知するようになっている。検知センサ１５７ｂは、反転搬送されてくるカットされた用紙もしくは搬送されてくるロール状の用紙の頭出しの際の搬送量を検知するようになっている。
【００３５】
次に、図２及び図３に示す記録部１６０には、キャリッジ１６１、記録ヘッド１６２、本発明に係るプラテン１６３、圧力部１６９等が配設されている。キャリッジ１６１は、図示しないキャリッジベルトに連結されており、図示しないキャリッジ駆動装置によってキャリッジベルトが作動すると、キャリッジベルトの動きに連行され、図示しないガイド軸に案内されて主走査方向（図２及び図３における紙面に対する垂直方向）に往復移動する。
【００３６】
記録ヘッド１６２は、キャリッジ１６１の下部においてプラテン１６３の上面に供給されるカットされた用紙又はロール状の用紙（以下、「記録用紙３００」という）と所定の間隔（ギャップ）を有して対向するように配設されており、例えば２種類のブラックインクを吐出する複数のブラックインク用ノズルと、イエロー、ダークイエロー、シアン、ライトシアン、マゼンタ、ライトマゼンタの６色のインクをそれぞれ吐出する複数のカラーインク用ノズルとを備える。これらのノズルにより、複数のノズル列（インク吐出領域）が記録ヘッド１６２に形成される。そして、記録ヘッド１６２の各ノズルは、図示しない圧力発生室に繋がれており、圧力発生室内にインクを貯留して所定圧で加圧することにより、複数のノズルから記録用紙３００に向けてコントロールされた大きさのインク滴が吐出される。
【００３７】
本発明に係るプラテン１６３は、記録可能な最大用紙幅より若干大きい長さの矩形平板状に形成されており、記録ヘッド１６２と対向するように配設されている。なお、本発明に係るプラテン１６３については、後で詳細に説明する。
【００３８】
プラテン１６３の下方には圧力部１６９が配設されている。圧力部１６９は、プラテン１６３に穿設された後述する複数の吸引孔１６７(図４参照)と連通し、図示しないファンを備える。圧力部１６９に設けられたファンを回転させることにより、プラテン１６３に設けられた吸引孔１６７から圧力部１６９内に吸気がされ、吸気された空気はファンを通って外部に排気される。これにより、プラテン１６３の上面に記録用紙３００が供給されると、記録用紙３００の下面側に負圧が発生するので、記録用紙３００をプラテン１６３の上面に吸着させて記録用紙３００の浮き上がりを防止することができ、記録精度を高精度に維持することができる。
【００３９】
次に、本発明に係るプラテン１６３について図４乃至図６を参照して詳細に説明する。
【００４０】
図４は、本発明の一の実施形態に係るプラテン１６３を示す平面図である。図５は、図４のＸ−Ｘ線矢視図であって、プラテン１６３の第１の断面を示す側断面図である。図６は、図４のＹ−Ｙ線矢視図であって、プラテン１６３の第２の断面を示す側断面図である。
【００４１】
図４に示すように、プラテン１６３は主走査方向（図４における左右方向）に延びた略矩形平板状に形成されている。プラテン１６３の記録ヘッド１６２と対抗する側（プラテン面）には、四辺縁無し記録の際に記録用紙３００の端部から外れたインク滴を打ち捨てる為の横溝穴１６５ａ（第１の溝穴）が主走査方向に延びて形成されている。図４に示す矢印Ａは記録用紙３００が搬送される方向を示しており、すなわち、横溝穴１６５ａは記録用紙３００の搬送方向の上流側に形成されている。
【００４２】
また、この溝穴１６５は、その左右の端部付近が屈曲して更に記録用紙３００の搬送方向にそれぞれ延びて、左溝穴１６５ｂ（第２の溝穴）、右溝穴１６５ｃ（第２の溝穴）を形成している。横溝穴１６５ａは、主に、記録用紙３００の上端部及び下端部の縁無し記録の際に記録用紙３００の上下端部から外れて打ち捨てられたインク滴を収容する。これに対し、左溝穴１６５ｂ及び右溝穴１６５ｃは、記録用紙３００の側端部の縁無し記録の際に記録用紙３００の左右端部から外れて打ち捨てられたインク滴を収容する。
【００４３】
また、溝穴１６５（横溝穴１６５ａ、左溝穴１６５ｂ、右溝穴１６５ｃ）の搬送方向上流側には、打ち捨てられたインク滴を集めて回収する回収部１６６が複数配設されている。回収部１６６は、図５及び図６に示すように鉛直下方向に延びる廃インク（インク滴の集まり）の通路であって、溝穴１６５に打ち捨てられたインク滴は回収部１６６を介して廃液タンク１２０（図１参照）に廃インクとして貯留される。
【００４４】
プラテン１６３のプラテン面には、横溝穴１６５ａを挟み記録用紙３００の搬送方向に延びる複数のリブ１６４（上流リブ１６４ａ、下流リブ１６４ｂ）が主走査方向（搬送直角方向）に所定の間隔をもって配列されている。リブ１６４は、主走査方向の断面が略台形状であって搬送方向にレール状に形成されている。
【００４５】
そして、それぞれの下流リブ１６４ｂの頂面と、下流リブ１６４ｂ間の凹部１６８の上面には、圧力部１６９に通じる吸引孔１６７が複数形成されている。図４に示すように、これらの複数の吸引孔１６７は、横溝穴１６５ａより記録用紙３００の搬送方向下流側に、主走査方向と平行に略直線状に配設されている。圧力部１６９は、前述したように、ファンを備え、該ファンを回転させることにより吸引孔１６７に負圧を発生させてプラテン１６３上の記録用紙３００を下流リブ１６４ｂの頂面に吸着させて記録用紙３００の浮き上がりを防止する。なお、本実施形態においては、下流リブ１６４ｂの頂面と凹部１６８の上面に吸引孔１６７を形成させているが、凹部１６８の上面には形成させず、下流リブ１６４ｂの頂面にのみ吸引孔１６７を形成させてもよい。
【００４６】
図５に示すように、横溝穴１６５ａは傾斜面１６５ｄを含み、該傾斜面１６５ｄは回収部１６６に連設されている。横溝穴１６５ａに打ち捨てられたインク滴は傾斜面１６５ｄに沿って下方向へ集まり回収部１６６を介して廃液タンク１２０に貯留される。横溝穴１６５ａは、主に記録用紙３００の上端部及び下端部の縁無し記録において打ち捨てられたインク滴を収容する。横溝穴１６５ａに傾斜面１６５ｄが形成されていることにより、打ち捨てられたインク滴を確実に回収部１６６に集めることができ、更に、打ち捨てられたインク滴が横溝穴１６５ａに落下した際に跳ね返って記録用紙３００やプラテン１６３の上面を汚すことを防止する効果もある。
【００４７】
回収部１６６は、横溝穴１６５ａの記録用紙３００の搬送方向（Ｄ方向）の上流側の深い位置に配設されている。回収部１６６が溝穴１６５に打ち捨てられたインク滴を直ちに回収して廃液タンク１２０に送るようにするために、回収部１６６にインク滴を吸引する機構を設けてもよい。しかし、インク滴の吸引により、四辺縁無し記録を行う場合に記録ヘッド１６２のノズルより記録用紙３００の記録面に向けて発射されたインク滴の飛翔方向に影響を及ぼす虞が生じる。そこで、本実施形態では、回収部１６６は、横溝穴１６５ａの記録用紙３００の搬送方向（Ｄ方向）の上流側で更に深い位置に配設されている。これにより、インク滴を吸引する回収部１６６であっても、良好な縁無し記録を実現することができる。図５に示す記録用紙３００は下端部の縁無し記録が行われている状態を示し、上述したように、回収部１６６は記録用紙３００の下端部から遠い位置にあるので、回収部１６６においてインク滴を吸引させても記録用紙３００の下端部の縁無し記録への影響を微少に抑えることができる。なお、インク滴を吸引する回収部１６６の機能を拡大させ、横溝穴１６５ａが記録用紙３００を吸引するようにしてもよい。例えば、横溝穴１６５ａを搬送方向にしきる複数の壁を横溝穴１６５ａ内に設け、当該壁により仕切られた各横溝穴１６５ａに記録用紙３００を吸引させる。
【００４８】
図６に示すように、右溝穴１６５ｃは搬送方向の下流側から上流側に下がった傾斜面を形成し、上流側端部において回収部１６６と連設されている。右溝穴１６５ｃは記録用紙３００の基準となる右端部の縁無し記録において打ち捨てられたインク滴を収容する。右溝穴１６５ｃに打ち捨てられたインク滴は右溝穴１６５ｃの傾斜面に沿って搬送方向の上流側へ流れ回収部１６６を介して廃液タンク１２０に貯留される。
【００４９】
また、図４に示す左溝穴１６５ｂも、右溝穴１６５ｃと同様に、搬送方向の下流側から上流側に下がった傾斜面を形成し、上流側端部において回収部１６６と連設されている。左溝穴１６５ｂは、記録用紙３００の左端部の縁無し記録において打ち捨てられたインク滴を収容し、大きさの異なる記録用紙３００の縁無し記録に対応できるように主走査方向の幅が右溝穴１６５ｃより大きく形成されている。
【００５０】
次に、四辺縁無し記録時における本発明に係るプラテン１６３の機能について説明する。先ず、記録用紙３００の上端部（先頭部）の縁無し記録について、図３を参照して説明する。上端部（先頭部）の縁無し記録では、紙送りローラ１５３とその従動ローラ１５４により記録用紙３００がプラテン１６３と記録ヘッド１６２の間に搬送される（図３参照）。記録用紙３００の下面がプラテン１６３のプラテン面に設けられた複数のリブ１６４（上流リブ１６４ａ）と当接し、記録用紙３００はプラテン１６３と平行に支持される。そして、記録用紙３００の上端部（先頭部）が横溝穴１６５ａ上の所定の位置まで搬送（図３参照）されると、記録ヘッド１６２が主走査方向（紙面に対する垂直方向）に移動を開始しつつノズルよりインク滴が吐出されて上端部の縁無し記録が行われる。記録用紙３００の上端部より外れたインク滴は横溝穴１６５ａ内に打ち捨てられ回収部１６６を介して廃液タンク１２０に貯留される。
【００５１】
また、記録用紙３００を上流リブ１６４ａの頂面に押し付ける為に、紙送りローラ１５３とその従動ローラ１５４とのニップ点は紙送りローラ１５３の回動中心からやや下流側に設定されている。これにより、記録用紙３００は上流リブ１６４ａの頂面に押し付けられる付勢力を受ける。そして、横溝穴１６５ａはプラテン１６３の上流側に形成されており、横溝穴１６５ａと紙送りローラ１５３（及び従動ローラ１５４）との距離は短いので、この紙送りローラ１５３と従動ローラ１５４とによる付勢力で、記録用紙３００の上端部の縁無し記録における浮き上がりを防止することが可能である。
【００５２】
次に、記録用紙３００の下端部（最後部）の縁無し記録について図５を参照して説明する。下端部（最後部）の縁無し記録に近づくと、記録用紙３００は紙送りローラ１５３とその従動ローラ１５４から外れ、図２に示す排紙ローラ１５５とギザローラ１５６により挟持される。そして、記録用紙３００の下端部（最後部）が横溝穴１６５ａ上の所定の位置まで搬送（図５参照）されると、記録用紙３００の下端部（最後部）の縁無し記録が行われる。記録用紙３００の下端部より外れたインク滴は横溝穴１６５ａ内に打ち捨てられ回収部１６６を介して廃液タンク１２０に貯留される。
【００５３】
また、記録用紙３００の排出を行う排紙ローラ１５５とギザローラ１５６とのニップ点も排紙ローラ１５５の回動中心からやや上流側に設定されており、記録用紙３００を下流リブ１６４ｂの頂面に押し付けるようにしている。しかし、ギザローラ１５６は記録用紙３００の記録面に傷や汚れの原因を与える虞があるので、排紙ローラ１５５とギザローラ１５６による記録用紙３００の挟持は紙送りローラ１５３と従動ローラ１５４による挟持より弱く、排紙ローラ１５５とギザローラ１５６とによるリブ１６４ｂの頂面への押し付けは十分ではない。また、記録後の記録用紙３００にコックリングが発生し、主走査方向の波打ちがプラテン１６３に設けられた複数のリブ１６４により上手く吸収されないと、記録用紙３００の記録面と記録ヘッド１６２のノズル面との間隔が不均一となり記録の品質が低下する。特に、下端部（最後部）の縁無し記録では、記録用紙３００は紙送りローラ１５３とその従動ローラ１５４から外れているので、記録用紙３００の下端部付近は上方向に反り返る虞が高い。
【００５４】
そこで、本実施形態に係るプラテン１６３では、穿設された複数の吸引孔１６７が記録された記録用紙３００を下から吸引して、記録用紙３００を下流リブ１６４ｂの頂面に引き寄せる。これにより、記録用紙３００の下端部（最後部）の縁無し記録においても、記録用紙３００の浮き上がりを効果的に防止して、高品質の縁無し記録を得ることができる。また、コックリングの発生に対しても、主走査方向に複数配設された下流リブ１６４ｂの頂面と凹部１６８の上面に吸引孔１６７が配設されているので、コックリングによる主走査方向の波打ちを複数の下流リブ１６４ｂにより効果的に吸収することが可能となる。
【００５５】
次に、記録用紙３００の側端部の縁無し記録について図面を参照して説明する。紙送りローラ１５３とその従動ローラ１５４によりプラテン１６３の右溝穴１６５ｃを基準として記録用紙３００が搬送される（図４参照）。すなわち、記録用紙３００のサイズが異なれば、左溝穴１６５ｂ上の記録用紙３００の左端部の位置が異なる。そして、記録ヘッド１６２が記録用紙３００の記録面から所定の間隔（ギャップ）を有して主走査方向に往復移動を繰り返しつつノズル列よりインク滴を吐出して、記録用紙３００の側端部（左右端）を含む記録用紙３００の全幅に渡る記録が行われる。記録用紙３００の左右端より外れたインク滴は、左溝穴１６５ｂ又は右溝穴１６５ｃ内に打ち捨てられ、回収部１６６を介して廃液タンク１２０に貯留される。
【００５６】
この時、記録用紙３００は紙送りローラ１５３とその従動ローラ１５４により上流リブ１６４ａの頂面に押し付けられており、更に、吸引孔１６７によっても下流リブ１６４ｂの頂面に引き寄せられている（図６参照）。これにより、記録用紙３００の浮き上がりを効果的に防止して、記録用紙３００と記録ヘッド１６２の間の間隔（ギャップ）を均一にすることができる。
【００５７】
なお、記録用紙３００の側端部の縁無し記録を横溝穴１６５ａ上で行うことも可能であるが、プラテン１６３に左溝穴１６５ｂ、右溝穴１６５ｃを形成させることにより記録ヘッド１６２のインク吐出領域（複数のノズル列）を広く設けることができるので、インクジェット式プリンタ１００の記録速度を増加させることが可能である。
【００５８】
また、本実施形態に係るプラテン１６３の構成（溝穴１６５、吸引孔１６７、リブ１６４等）を主走査方向（記録用紙３００の搬送直角方向）に複数並設させたプラテンとすれば、更に多くのサイズの記録用紙３００に対応させることが可能となる。
【００５９】
以上、本発明の一の実施形態について説明したが、本発明によれば、主走査方向（搬送直交方向）に延びる溝穴１６５が記録用紙３００の搬送方向の上流側に設けられ、溝穴１６５内に打ち捨てられたインク滴を収容するので、四辺縁無し記録が可能である。更に、記録用紙３００の浮き上がりを抑える吸引孔１６７が記録用紙３００の搬送方向の下流側に複数設けられているので、記録用紙３００の四辺縁無し記録を行う場合でも記録用紙３００浮き上がりを効果的に抑え、記録むらや記録用紙の汚れの発生を防止して高品位な記録を得ることができる。
【００６０】
また、本発明によれば、記録用紙３００の搬送方向に延びるリブ１６４が主走査方向（搬送直角方向）に所定の間隔をもって複数配列され、吸引孔１６７が下流リブ１６４ｂの頂面に設けられているので、複数の下流リブ１６４ｂにより記録用紙３００に発生したコックリングを効果的に吸収することができる。
【００６１】
また、本発明によれば、溝穴１６５は、主走査方向（搬送直交方向）に延びる横溝穴１６５ａと、搬送方向に延びる左溝穴１６５ｂ及び右溝穴１６５ｃとを含み、この左溝穴１６５ｂ及び右溝穴１６５ｃにより記録用紙３００の側端部の縁無し記録を効率よく行うことができる。
【００６２】
なお、本発明の範囲は上述した実施形態に限られず、特許請求の範囲の記載に反しない限り、他の様々な実施形態に適用可能である。例えば、本発明の実施形態では、下流リブ１６４ｂの頂面と凹部１６８の上面に吸引孔１６７を形成させているが、凹部１６８の上面には形成させず、下流リブ１６４ｂの頂面にのみ吸引孔１６７を形成させてもよい。
【００６３】
また、本発明の実施形態では、記録装置の１つであるインクジェット式プリンタ１００に用いられているプラテン１６３について説明したが、上述した作用効果を奏するプラテンであれば、他の装置に用いられるプラテンであってもよい。  
【産業上の利用可能性】
【００６４】
被記録媒体に液滴を吐出するヘッドと被記録媒体を支持するプラテンを備えた記録装置であれば、例えばファクシミリ装置、コピー装置等であっても適用可能である。また、記録装置に限らず、インクに代えてその用途に対応する液体を液体噴射ヘッドから被噴射媒体に噴射して液体を被噴射媒体に付着させる液体噴射装置の意味として、例えば、液晶ディスプレイ等のカラーフィルタ製造に用いる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料噴射ヘッド等を備えた装置にも適用可能である。
【図面の簡単な説明】
【００６５】
【図１】本発明の一の実施形態に係るインクジェット式プリンタ１００の外観構成の全体を斜め前方から見た斜視図である。
【図２】図１のインクジェット式プリンタ１００の内部構成の概略を示す断面側面図である。
【図３】記録部１６０の周辺の要部を拡大して示す断面側面図である。
【図４】本発明の一の実施形態に係るプラテン１６３を示す平面図である。
【図５】図４のＸ−Ｘ線矢視図であって、プラテン１６３の第１の断面を示す側断面図である。
【図６】図４のＹ−Ｙ線矢視図であって、プラテン１６３の第２の断面を示す側断面図である。
【符号の説明】
【００６６】
１００  インクジェット式プリンタ、１０１  ハウジング、１０４  カートリッジ収納部、１０５  カートリッジカバー、１１０  操作部、１１１  ボタン、１１２  液晶パネル、１３０  給紙部、１４０  給排紙部、１５０  搬送部、１５１  サブローラ、１５２  従動ローラ、１５３  紙送りローラ、１５４  従動ローラ、１５５  排紙ローラ、１５６ギザローラ、１６０  記録部、１６１  キャリッジ、１６２  記録ヘッド、１６３  プラテン、１６４  リブ、１６５  溝穴、１６６  回収部、１６７  吸引孔、１６８  凹部、１６９  圧力部、２００  給排紙トレイ、２１０給紙トレイ、２３０  排紙トレイ、３００  記録用紙
【図１】
2006021475.tif 000003
【図２】
2006021475.tif 000004
【図３】
2006021475.tif 000005
【図４】
2006021475.tif 000006
【図５】
2006021475.tif 000007
【図６】
2006021475.tif 000008